(57)【要約】【課題】角層細胞剥離後の粘着テープから角層の赤外吸収スペクトルを安定して再現性良く取得する方法を提供する。【解決手段】シリコーン粘着層を有するテープで皮膚表面の角層を剥離し、該テープの粘着面をＡＴＲ−ＩＲ測定して得られる赤外吸収スペクトルと、シリコーン粘着層を有する未使用のテープの粘着面をＡＴＲ−ＩＲ測定して得られる赤外吸収スペクトルを取得し、両者の差スペクトルから角層のスペクトルを取得する角層の赤外吸収スペクトルの測定法であって、角層の赤外吸収スペクトルの３０００〜４０００ｃｍ−１の領域における水の信号の推定寄与分より、角層の赤外吸収スペクトル全波数域における水の信号の推定寄与分を算出し、該角層の赤外吸収スペクトルより差し引くことによりスペクトルを取得する、方法。【選択図】なし【特許請求の範囲】
【請求項１】
シリコーン粘着層を有するテープの粘着面に角層を付着させ、該テープの粘着面をＡＴＲ−ＩＲ測定して得られる赤外吸収スペクトルと、シリコーン粘着層を有する未使用のテープの粘着面をＡＴＲ−ＩＲ測定して得られる赤外吸収スペクトルを取得し、両者の差スペクトルから角層のスペクトルを取得する角層の赤外吸収スペクトルの測定法であって、角層の赤外吸収スペクトルの３０００〜４０００ｃｍ−１の領域における水の信号の推定寄与分より、角層の赤外吸収スペクトル全波数域における水の信号の推定寄与分を算出し、該角層の赤外吸収スペクトルより差し引くことによりスペクトルを取得する、方法。
【請求項２】
角層剥離テープの粘着面をＡＴＲ−ＩＲ測定して得られる赤外吸収スペクトルと、シリコーン粘着層を有する未使用のテープの粘着面をＡＴＲ−ＩＲ測定して得られる赤外吸収スペクトルの差スペクトルの作成が、シリコーン粘着層に由来する主要な吸収帯である、１２６０ｃｍ−１付近の吸収帯または１０００〜１１００ｃｍ−１付近の吸収帯の、いずれか、または両方に由来するピーク強度が一致するように、いずれかの赤外吸収スペクトルを定数倍してから差し引いて行う、請求項１記載の方法。
【請求項３】
角層の赤外吸収スペクトルにおける３０００〜４０００ｃｍ−１の吸収帯のピークに対して下記式１で示される近似式を適用して係数ｑ、ｒを算出し、該角層の赤外吸収スペクトル全波数域における水の信号の寄与分を見積る、請求項１又は２記載の方法。
ＳSC（ω）＝ｑＳSC−Dry（ω）＋ｒＳWater（ω）       （式１）
〔式中、ＳSC（ω）は角層の赤外吸収スペクトル、ＳSC−Dry（ω）は完全に乾燥した角層の赤外吸収スペクトル、ＳWater（ω）は水の赤外吸収スペクトルを示し、ｑ及びｒは係数、ωは波数を示す。〕
【請求項４】
請求項１〜３のいずれか１項に記載の方法によって得られた角層の赤外吸収スペクトルの、各ピークの信号強度及びピーク形状から、角層を構成する成分、角層の性状、角層表面の付着物の量及び角層の化学状態の変化のいずれか１以上を評価する角層評価方法。
【請求項５】
アミドＩに由来する吸収帯のピーク形状から、角層蛋白質の組成変化及び角層の性状を評価することを特徴とする、請求項４記載の方法。
【請求項６】
アミドＩに由来する吸収帯のピークからαヘリックスとランダムコイルが重畳したピーク及びβシートのピークを分割して両ピークの面積比（α/β値）を求める、請求項５記載の方法。
【請求項７】
メチレン基の変角振動の吸収帯のピーク形状から、角層細胞間脂質のパッキンッグ性及び角層の性状を評価することを特徴とする、請求項４記載の方法。
【請求項８】
アルキル鎖の伸縮振動の吸収帯のピーク位置から、角層細胞間脂質のパッキンッグ性及び角層の性状を評価することを特徴とする、請求項４記載の方法。
【請求項９】
解離したカルボキシ基の吸収帯の信号強度から、角層中の天然保湿因子（ＮＭＦ）量及び角層の性状を評価することを特徴とする、請求項４記載の方法。
【請求項１０】
角層付着物に特徴的な吸収帯のピーク面積から、角層表面の付着物の量を評価することを特徴とする、請求項４記載の方法。
【発明の詳細な説明】
【技術分野】
【０００１】
本発明は、角層の角化状態、角層蛋白質の組成変化、角層細胞間脂質の量、角層細胞間脂質のパッキング性、角層の天然保湿因子（ＮＭＦ）の量、角層組成、角層付着物を評価する方法に関する。
【背景技術】
【０００２】
皮膚の最表層を構成する組織を角層と呼ぶ。肌荒れや乾燥等の肌状態の違いによって、角層を構成する成分の量及び化学状態が異なることが知られている。また角層は多くのスキンケア剤や化粧料の主たる作用部位であるため、角層構成成分、角層付着物の量及び角層状態の変化を把握することは、肌状態の把握やスキンケア効果の検証等に有用である。
【０００３】
皮膚上の角層表層における角層構成成分を解析する方法として、例えば皮膚にプローブを押しあて、全反射赤外吸収法（ＡＴＲ−ＩＲ法）によって角層の赤外吸収スペクトルを測定し、得られたスペクトルのアミドＩ吸収帯のピーク形状の違いに基づいて、蛋白質の二次構造の違いを評価する方法が知られている（特許文献１）。しかしながら、斯かる方法では、アミドＩの吸収帯には水のＯＨ変角振動の吸収帯が重畳するため、アミドＩのピーク形状の比較は水分量が同程度の皮膚同士で行う必要がある。
【０００４】
また、シリコーン系粘着層を有する粘着テープで皮膚表面の角層細胞を剥離し、該粘着面の赤外吸収スペクトルを測定する方法も知られている（特許文献２）。この技術は、角層細胞剥離後の該粘着テープの粘着面の赤外吸収スペクトルより、角層細胞剥離前の該粘着テープの粘着面の赤外吸収スペクトルを、係数を乗じたのちに差し引き、剥離角層に相当するスペクトル成分（以下、「剥離角層赤外吸収スペクトル」とも称す。）を算出することで、角層表層における角層構成成分及び角層付着物に関する化学情報を取得するものである。この技術によれば、皮膚内部からの水の供給が無い状況で赤外吸収スペクトルを取得できるため、皮膚表面を直接ＡＴＲ−ＩＲ測定する場合と比べて、生体由来の水分の変動の影響を受けずにアミドＩ吸収帯の変化、例えば、角層性状の指標となるαヘリックスとランダムコイルが重畳したピークとβシートのピークの面積比（α/β値）を取得できるという特長がある。
【先行技術文献】
【特許文献】
【０００５】
【特許文献１】特許第５７５６３７０号公報
【特許文献２】特開２０１８−１０５７８３号公報
【発明の概要】
【発明が解決しようとする課題】
【０００６】
本発明は、角層細胞剥離後の粘着テープから角層の赤外吸収スペクトルを安定して再現性良く取得する方法を提供することに関する。
【課題を解決するための手段】
【０００７】
本発明者らは、角層細胞剥離後の粘着テープの粘着面の赤外吸収スペクトルから、角層状態をより正確に分析するための方法を検討する過程で、環境湿度に応じて測定値が変動することを発見した。具体的には、アミドＩ吸収帯のピークから求められるα/β値が測定環境湿度と負に相関し（図４参照）、これを用いた角層状態の評価が測定環境湿度の影響を受ける可能性があることを見出した。そして、剥離角層赤外吸収スペクトルの３０００〜４０００ｃｍ−１の領域のスペクトル形状に基づいて、当該赤外吸収スペクトル全波数域のスペクトルにおける水由来の信号成分を見積り、当該角層赤外吸収スペクトルより水の信号の寄与成分を取り除くことによって、完全に乾燥させた状態に補正することにより、剥離角層赤外吸収スペクトルを正確に取得することができ、これを用いて角層状態を安定して再現性良く評価することに成功した。
【０００８】
すなわち、本発明は、以下の１）〜２）に係るものである。
１）シリコーン粘着層を有するテープの粘着面に角層を付着させ、該テープの粘着面をＡＴＲ−ＩＲ測定して得られる赤外吸収スペクトルと、シリコーン粘着層を有する未使用のテープの粘着面をＡＴＲ−ＩＲ測定して得られる赤外吸収スペクトルを取得し、両者の差スペクトルから角層のスペクトルを取得する角層の赤外吸収スペクトルの測定法であって、角層の赤外吸収スペクトルの３０００〜４０００ｃｍ−１の領域における水の信号の推定寄与分より、角層の赤外吸収スペクトル全波数域における水の信号の推定寄与分を算出し、該角層の赤外吸収スペクトルより差し引くことによりスペクトルを取得する、方法。
２）１）の方法によって得られた角層の赤外吸収スペクトルの、各ピークの信号強度及びピーク形状から、角層を構成する成分、角層の性状、角層表面の付着物の量及び角層の化学状態の変化のいずれか１以上を評価する角層評価方法。
【発明の効果】
【０００９】
本発明によれば、測定環境中の湿度の影響を考慮すること無く、すなわち大掛かりな空調設備を要せず、また角層剥離テープを環境湿度に平衡化させる等の操作を要せずに、再現性良く角層の赤外吸収スペクトルを取得することができる。したがって、従来法に比べて、より簡便に、且つ正確に角層の角化状態、角層蛋白質の組成変化、角層細胞間脂質の量、角層細胞間脂質のパッキング性、角層の天然保湿因子（ＮＭＦ）の量、角層組成、角層付着物を評価できる。
【図面の簡単な説明】
【００１０】
【図１ａ】ヒト角層シートと水の赤外吸収スペクトル。
【図１ｂ】ヒト角層シートと水の赤外吸収スペクトル（アミドＩ近傍域）。
【図１ｃ】ヒト角層シートと水の赤外吸収スペクトル（高波数域）。
【図２】テープ信号補正後の乾燥角層の赤外吸収スペクトルと水の赤外吸収スペクトル。
【図３ａ】７３％Ｒ．Ｈ．における角層の赤外吸収スペクトル。
【図３ｂ】７３％Ｒ．Ｈ．における角層の赤外吸収スペクトル（図３ａのアミドＩ近傍域の拡大図）。
【図４】α/β値と測定環境湿度との関係（水の信号補正なし）。
【図５】α/β値と測定環境湿度との関係（水の信号補正あり）。
【図６】α/β値の湿度による影響（水の信号補正なし）。ａ１：前腕（右）、ａ２：前腕（左）、ｃ１：頬（右）、ｃ２：頬（左）。
【図７】α/β値の湿度による影響（水の信号補正あり）。ａ１：前腕（右）、ａ２：前腕（左）、ｃ１：頬（右）、ｃ２：頬（左）。
【発明を実施するための形態】
【００１１】
本発明の赤外吸収スペクトルの取得に用いられるＡＴＲ−ＩＲ分光装置としては、通常のＦＴ−ＩＲと、それに接続できるＡＴＲユニットを用いればよい。またＡＴＲユニットは光ファイバー型プローブでも良い。またＡＴＲユニットとＦＴＩＲが一体化したシステムを用いても良い。また内部反射エレメントにも特に制限はないが、例えばゲルマニウム、ダイヤモンド、ＺｎＳｅ、Ｓｉ，ＰＩＲ（塩化銀製）を用いることができる。反射回数や入射角についても、全反射条件が維持できる限り、特に制限は無い。波数分解能は０．５〜３２ｃｍ-1の範囲で測定することが必要だが、感度とＳ／Ｎが両立できる２〜８ｃｍ-1の範囲にて測定することが好ましい。
【００１２】
角層剥離テープは、粘着層にシリコーン系粘着剤が使われていれば良い。ベースフィルムの素材には特に制限はない。シリコーン粘着層を有するテープは、一般には耐熱性や耐薬品性が求められる用途に市販されているため、ベースフィルムにテフロン（登録商標）やアルミが使用されているテープが入手し易い。これらのベースフィルムは強度もあるため、皮膚への貼り付け・取り外しが容易であり、本発明に適している。しかしテフロン（登録商標）やアルミ以外のベースフィルムでも問題は無い。
具体的には、シリコーン系粘着層を有するテープは実施例に記載のアズワン株式会社ほか、３Ｍ社、日東電工株式会社、株式会社オカド、株式会社寺岡製作所等々より購入することができる。また、東レ・ダウコーニング株式会社、信越化学工業株式会社、株式会社レヂテックス等々より市販のシリコーン系粘着剤を各種フィルムや不織布等に塗工することにより、シリコーン系粘着層を有するテープを調製することができる。
【００１３】
本発明においては、シリコーン粘着層を有するテープの粘着面に角層を付着させ、該テープの粘着面をＡＴＲ−ＩＲ測定して得られる赤外吸収スペクトル（吸収スペクトルＡ）と、シリコーン粘着層を有する未使用のテープの粘着面をＡＴＲ−ＩＲ測定して得られる赤外吸収スペクトル（吸収スペクトルＢ）を取得し、両者の差スペクトルから角層のスペクトルが取得されるが、その際に、角層の赤外吸収スペクトルの３０００〜４０００ｃｍ−１の領域における水の信号の推定寄与分より、角層の赤外吸収スペクトル全波数域における水の信号の推定寄与分を算出し、該角層の赤外吸収スペクトルより差し引くことが行われる。
シリコーン粘着面への角層の付着方法としては、該シリコーン粘着面を皮膚表面に直接押し付けて角層を付着させてもよいし、粘着層を有す別のテープを皮膚表面に押し付けて採取した角層を、該シリコーン粘着面に転写させてもよい。
以下に、本発明の角層の赤外吸収スペクトルの測定手順について説明する。
【００１４】
先ず、テープの赤外吸収スペクトル（吸収スペクトルＢ）が、以下の１）〜３）の工程により取得される。
１）ＡＴＲ−ＩＲ分光装置の内部反射エレメント部に、空気が接触している状態で、空気のパワースペクトルを測定する。
２）ＡＴＲ−ＩＲ分光装置の内部反射エレメント部に、シリコーン粘着層を有する未使用のテープの粘着面を接触させ、テープのパワースペクトルを測定する。
３）テープのパワースペクトルを空気のパワースペクトルで割り、透過率を吸光度に変換することによって、テープの吸収スペクトル（吸光度表示）を取得する。
【００１５】
次いで、角層細胞が付着したテープの粘着面の吸収スペクトル（吸収スペクトルＡ）が、以下の４）〜６）の工程により取得される。
４）シリコーン粘着層を有するテープの粘着面を皮膚に接触後、テープを剥離し、テープ粘着面に角層細胞を付着させる。
５）角層細胞が付着した上記テープの粘着面を、ＡＴＲ−ＩＲ分光装置の内部反射エレメント部に貼り付け、[角層＋テープ]のパワースペクトルを測定する。
６）[角層＋テープ]のパワースペクトルを空気のパワースペクトルで割り、透過率を吸光度に変換することによって、[角層＋テープ]の吸収スペクトル（吸光度表示）を取得する。
【００１６】
次に、吸収スペクトルＡと吸収スペクトルＢの差スペクトルが作成される。具体的には、シリコーン粘着層に由来する主要な吸収帯である、１２６０ｃｍ−１付近の吸収帯または１０００〜１１００ｃｍ−１付近の吸収帯の、いずれか、または両方に由来するピーク強度が一致するように、吸収スペクトルＡまたは吸収スペクトルＢを定数倍してから差し引くことにより行われる。
すなわち、差スペクトルの作成は、以下の７）〜８）の工程により行われる（後記参考例参照）。
７）［角層＋テープ］の吸収スペクトル（吸光度表示）中に出現する、シリコーン粘着層に由来する主要な吸収帯である、１２６０ｃｍ−１付近の吸収帯または１０００〜１１００ｃｍ−１付近の吸収帯の、いずれか、または両方に由来するピークに対して、それらに対応するテープの吸収スペクトル（吸光度表示）のピーク強度が一致するように、テープの吸収スペクトル（吸光度表示）を定数倍する係数ｐを決める。
８）［角層＋テープ］の吸収スペクトル（吸光度表示）から、テープの吸収スペクトル（吸光度表示）をｐ倍したスペクトルを差し引いて、角層の吸収スペクトル（剥離角層赤外吸収スペクトル）を算出する。
【００１７】
次いで、剥離角層の赤外吸収スペクトルの３０００〜４０００ｃｍ−１の領域における水の信号の推定寄与分より、角層の赤外吸収スペクトル全波数域における水の信号の推定寄与分を算出し、該角層の赤外吸収スペクトルより差し引くことが行われる。
角層の赤外吸収スペクトルＳSC（ω）は、完全に乾燥した角層の赤外吸収スペクトルＳSC−Dry（ω）と、水の赤外吸収スペクトルＳWater（ω）との重ね合わせで、下記式１のように近似的に表現することができる。式中、ｑとｒは係数、ωは波数である。
ＳSC（ω）＝ｑＳSC−Dry（ω）＋ｒＳWater（ω）      （式１）
【００１８】
３０００〜４０００ｃｍ−１の吸収帯のピークに対して上記式を適用して係数ｑ、ｒを算出し、水の信号の寄与分を見積る。式１を最も良く再現する係数ｑ、ｒの算出には、最小二乗法や最尤法を用いることができる。
そして、下記式２に示すように、スペクトル全波数域において斯かる水の信号の推定寄与分を差し引くことにより、仮想的な乾燥角層の赤外吸収スペクトルＳSC−Dry−cal（ω）を算出することができる。
ＳSC−Dry−cal（ω）＝ＳSC（ω）−ｒＳWater（ω）    （式２）
【００１９】
斯くして取得された乾燥角層の赤外吸収スペクトルを用いて、アミドＩに由来する吸収帯のピーク形状解析に基づく角層蛋白質の組成変化や角層の性状の評価、メチル基及びメチレン基の変角振動に基づく吸収帯のピーク強度及びピーク形状の解析に基づく角層細胞間脂質の量及びパッキング性、角層の性状の評価、アルキル鎖の伸縮振動に基づく吸収帯のピーク強度及びピーク形状の解析に基づく角層細胞間脂質の量及びパッキング性、角層の性状の評価、解離したカルボキシ基に基づく吸収帯のピーク強度の解析に基づく角層中の天然保湿因子（ＮＭＦ）の量、角層の性状の評価は、例えば以下の手法により行うことができる。
【００２０】
アミドＩのピークには、１６６８ｃｍ−１付近にターン構造、１６４９ｃｍ−１付近にαへリックス構造とランダムコイル構造、１６２９ｃｍ−１付近にβシート構造の信号が重畳していることが知られている。アミドＩのピーク形状を解析することで、これらの構造の割合を推定し、角層蛋白質の組成や構造の変化を評価することができる。例えば、アミドＩ吸収帯のピークからαヘリックスとランダムコイルが重畳したピーク及びβシートのピークを分割して、両ピークの面積比（α／β値）を求めることにより角層性状の評価が可能である。
【００２１】
メチレンの変角振動のピークには、１４６３ｃｍ−１付近と１４７３ｃｍ−１付近に細胞間脂質のオルソロンビック構造の信号、１４６８ｃｍ−１付近には細胞間脂質のヘキサゴナル構造の信号が重畳していることが知られている。メチレンの変角振動のピーク形状を解析し、これらの構造の割合を推定することで、細胞間脂質のパッキング構造の変化を評価することができる。オルソロンビック構造が多いほど、角層のバリア能が高いと考えられているため、本解析法は角層バリアの指標として活用することができる。
【００２２】
メチレンの伸縮振動のピークには、２８５０ｃｍ−１付近と２９２０ｃｍ−１付近に出現する。これらのピーク位置はアルキル鎖のパッキングが緩むことによって高波数シフトすることが知られている。従って、これらのピーク位置を読み取ることで、細胞間脂質のパッキング構造の変化を評価することができる。
【００２３】
角層の赤外吸収スペクトル中の各ピークの解析法に特に制限は無い。例えば特許文献３に記載されているように、既知のピーク位置にガウス関数等の特定の関数をあてはめ、これらの関数の重ね合わせで角層の赤外吸収スペクトルを表現すると、各ピークの面積（信号強度）や幅（形状）を算出することができる。
【００２４】
アミドＩのピークの形状から蛋白質の組成変化を解析するには、一次微分スペクトル及び二次微分スペクトルを算出し、一次微分スペクトルまたは二次微分スペクトル内における、特定の波数での強度比を指標として用いることもできる。
【００２５】
メチル基の変角振動のピークの形状から細胞間脂質のパッキング状態を解析するには、二次微分スペクトルを算出し、二次微分スペクトルでの強度比を指標として用いることもできる。
メチレン基の伸縮振動のピークの形状から細胞間脂質のパッキング状態を解析するには、角層の赤外吸収スペクトル中の当該のピークのピークトップ位置を読み取っても良い。このとき一次微分スペクトルを算出し、微分係数がゼロになる波数位置を読み取っても良い。この指標も角層バリアの指標として活用することができる。
【００２６】
天然保湿因子（ＮＭＦ）の量は、１４００〜１８００ｃｍ−１の領域のスペクトル形状を、ガウス関数等の複数の関数の重ね合わせで近似したのちに、１６０２ｃｍ−１や１５７４ｃｍ−１付近に出現する解離型カルボキシ基に対応する関数の信号強度（ピーク面積、ピーク高さ）を見積もることで評価することができる。
【００２７】
角層付着物の量については、その物質に特徴的なピークの信号強度（ピーク面積、ピーク高さ）から評価することができる。具体的には例えば石鹸カスに相当する脂肪酸スカム（脂肪酸金属塩）の量を見積もるのであれば、１５７５ｃｍ−１付近のピークの信号強度（ピーク面積、ピーク高さ）を見積もればよい。
【００２８】
以上の各種構造の変化または各種指標と、各種肌性状（正常肌、荒れ肌、乾燥肌、各種皮膚炎等）との相関より、該各種構造の変化及び指標に基づく肌性状の評価が可能となる。
【実施例】
【００２９】
参考例
（１）テープ剥離角層の赤外吸収スペクトルからのα／β値の算出
特開２０１８‐１０５７８３号公報に準じて、テープ剥離角層の赤外吸収スペクトルより、肌性状と相関するα／β値（αヘリックスとランダムコイルが重畳したピークの面積とβシートのピークの面積の比）の算出を行った。この手順は以下のとおりである。
１）シリコーン系粘着層を有すテープ（アズフロン(R)テープ、アズワン株式会社）を用いて、ヒト頬より角層を採取する。
２）上記角層剥離後のテープの粘着面を、ＦＴ−ＩＲ装置（Ｎｉｃｏｌｅ  ｉＳ５、Ｔｈｅｒｍｏ  Ｆｉｓｈｅｒ  Ｓｃｉｅｎｔｉｆｉｃ社）に取り付けたＡＴＲユニット（ｉＤ５  ＡＴＲ）の測定面に貼り付け、ＡＴＲ−ＩＲ測定を行う。この赤外吸収スペクトルを、Ｓtape＋SC（ω）とする。ここでωは波数に相当する。
３）２）と同様に、角層剥離前のブランクテープ粘着面のＡＴＲ−ＩＲ測定を行う。この赤外吸収スペクトルをＳtape（ω）とする。
４）以下の式３に基づいて、シリコーン粘着層に特徴的な１２６０ｃｍ−１付近のピークが最もよく消失する係数ｐを最小二乗法により算出し、角層のみの赤外吸収スペクトルＳSC（ω）を算出する。
ＳSC（ω）＝Ｓtape＋SC（ω）−ｐＳtape（ω）        （式３）
５）ＳSC（ω）に対して、以下の式で表現される２３個のガウス関数をあてはめ、ＳSC（ω）を最も良く再現する係数ｋ（Ｎ）の組み合わせを最小二乗法により求め、角層の近似スペクトルＳSC−cal（ω）を算出する。この時の各ガウス関数のパラメータと帰属を表１に示す。
【００３０】
【数１】
2020193948.tif 000002
【００３１】
【表１】
2020193948.tif 000003
【００３２】
ここで１６４９ｃｍ−１のガウス関数のピーク面積を、１６２９ｃｍ−１のガウス関数のピーク面積で除したものをα／β値と定義する。
【００３３】
実施例１  水分補正法の検討
角層の赤外吸収スペクトルに対する水の寄与を見積もるために、水、ヒト角層シート、調湿環境下（０％Ｒ．Ｈ．、７３％Ｒ．Ｈ．）でのテープ剥離角層の赤外吸収スペクトルを測定した。本測定に用いた、装置、測定条件、試料の調製方法、測定結果、及びその結果に基づく水の信号の補正法を以下に記す。
【００３４】
（１）ＦＴ−ＩＲ装置
Ｆｒｏｎｔｉｅｒ（Ｐｅｒｋｉｎ−Ｅｌｍｅｒ社、ＴＧＳ検出器）に、ユニバーサルＡＴＲユニット（ダイアモンド、４５°）またはＮｉｃｏｌｅ  ｉＳ５（Ｔｈｅｒｍｏ  Ｆｉｓｈｅｒ  Ｓｃｉｅｎｔｉｆｉｃ社）にＡＴＲユニット（ｉＤ５  ＡＴＲ）を取り付けたものを用いた。
【００３５】
（２）測定条件
波数分解能４ｃｍ−１、積算４回
【００３６】
（３）試料の調製及び測定方法
１）水：ミリＱ水をＡＴＲ−ＩＲ測定に供した。
２）ヒト角層シート：
市販ヒト切除皮膚（Ｔｒａｎｓｋｉｎ(R)、ＢＩＯＰＲＥＤＩＣ  Ｉｎｔｅｒｎａｔｉｏｎａｌ社）より調製した。実験室環境下で、ＡＴＲ−ＩＲ測定に供した。
３）テープ剥離角層：
ヒト前腕内側部にシリコーン系粘着層を有すテープ（アズフロン(R)テープ、アズワン株式会社）を貼り付け、剥がすことにより角層を採取した。このテープ剥離角層を以下の２条件を用いて調湿し、ＡＴＲ−ＩＲ測定に供した。
ｉ）０％Ｒ．Ｈ．条件：窒素ガスをフローさせたサンプル瓶内に１時間放置。
ｉｉ）７３％Ｒ．Ｈ．条件：ＮａＣｌ飽和塩溶液で調湿したデシケータ内（実測２５℃、７３％ＲＨ）に一晩放置。
【００３７】
（４）測定結果
ヒト角層シート及び水の赤外吸収スペクトルを図１ａ（全域）、図１ｂ（アミドＩ近傍域）図１ｃ（高波数域）、に示す。
図１ｂより、水は角層のアミドＩと重畳する領域に吸収を持つため、水の存在はアミドＩのピーク形状に影響を及ぼすことがわかる。また図１ｃより、高波数域（２６００〜４０００ｃｍ−１）のピーク形状も角層中の含水量によって変化することがわかる。
図２には、上記参考例の式３より算出した、テープ信号補正後の窒素フロー乾燥した角層の赤外吸収スペクトルと、水の赤外吸収スペクトルを示す。何れも１０００〜４０００ｃｍ−１の領域で、吸光度を０〜１に規格化して表示している。
図１ａと図２の３０００〜４０００ｃｍ−１の領域を比較することより、実験室環境下で測定された角層シートには、一定の水分が含まれることがわかる。
【００３８】
（５）水の信号の補正法
ここでテープ剥離角層の赤外吸収スペクトルよりテープの信号を除くことによって得た、角層の赤外吸収スペクトルＳSC（ω）は、完全に乾燥した角層の赤外吸収スペクトルＳSC−Dry（ω）と、水の赤外吸収スペクトルＳWater(ω)との重ね合わせで、式１のように近似的に表現することができる。
ＳSC（ω）＝ｑＳSC−Dry（ω）＋ｒＳWater（ω）    （式１）
ここで、ｑとｒは係数、ωは波数である。水の信号の寄与分を見積もるために、３０００〜４０００ｃｍ−１の領域に対して式１を適用し、最小二乗法によって係数ｑ、ｒを算出した。次に式１における水の信号を差し引いて、仮想的な乾燥角層の赤外吸収スペクトルＳSC−Dry−cal（ω）を算出することとした。
ＳSC−Dry−cal（ω）＝ＳSC（ω）−ｒＳWater（ω）    （式２）
図３ａに、７３％で調湿したテープ剥離角層の赤外吸収スペクトル（実線、テープ信号除去後）と、式１より算出した水の信号の寄与分の赤外吸収スペクトル（破線）と、式２により算出した水の信号の差し引き後の赤外吸収スペクトル（点線）を示す。図３ａのアミドＩ近傍域を拡大表示したものを図３ｂに示す。図３ｂより、水の信号の寄与分を推定し差し引くことで、アミドＩのピーク形状がわずかに変化することがわかる。このように補正した赤外吸収スペクトルを、式２で示した赤外吸収スペクトル解析法に適用し、α／β値を算出することとした。
【００３９】
試験例１  異なる季節に測定した角層のアミドＩ吸収帯の解析
１月から１２月の期間に、のべ１１１３名を対象に、一般的な空調設備を有する部屋において、顔面頬部より粘着テープで角層を採取し、該テープのＡＴＲ−ＩＲ測定を行った。測定は、赤外分光装置ｉＳ５（Ｔｈｅｒｍｏ  Ｆｉｓｈｅｒ  ＳＣＩＥＮＴＩＦＩＣ社）にＡＴＲユニット（ｉＤ５  ＡＴＲ）を取り付けたものを用い、分解能：４ｃｍ−１、スキャン回数：４の条件で行った。取得した赤外吸収スペクトルは粘着テープの信号を除去後、実施例１による赤外吸収スペクトルの補正の有無において、アミドＩ吸収帯の１６４９ｃｍ−１と１６２９ｃｍ−１の信号成分の比率（α/β）を算出し、実施例１による赤外吸収スペクトルの補正の効果を検証した。
【００４０】
スペクトル補正を行わない場合では、α/β値は測定環境湿度と負に相関し、その値が湿度の影響を受ける可能性が見られた（図４）。一方、実施例１により水の信号補正を行ったスペクトルの解析では、α/β値は環境湿度への依存性が限りなく小さくなり（図５）、本発明の赤外吸収スペクトルの補正の適用により、湿度の影響を取り除いたアミドＩ吸収帯の評価が可能となることが分かった。
【００４１】
試験例２  異なる馴化湿度条件で測定した角層のアミドＩ吸収帯の解析
男性１名の左右の頬及び左右の前腕内側部からそれぞれ１か所ずつ計４か所から角層を粘着テープで採取し、該テープのＡＴＲ−ＩＲ測定を行った（前腕（右）：ａ１、前腕（左）：ａ２、頬（右）：ｃ１、頬（左）：ｃ２）。測定は、赤外分光装置ｉＳ５（Ｔｈｅｒｍｏ  Ｆｉｓｈｅｒ  ＳＣＩＥＮＴＩＦＩＣ社）にＡＴＲユニット（ｉＤ５  ＡＴＲ）を取り付けたものを用い、分解能：４ｃｍ−１、スキャン回数：４、環境は室温２６℃、湿度５０％ＲＨの付近の条件で行った。
【００４２】
測定は以下の手順で実施した。まず、被験部位を洗浄、室温（２６℃、５０％ＲＨ付近）で馴化後に剥離した角層をＡＴＲ−ＩＲで測定し、室温に馴化された角層の赤外吸収スペクトルを得た。次に、それらの角層を乾燥デシケータ（実測２５℃、１４％ＲＨ）に移して１時間程度保管した後、デシケータから取り出して速やかにＡＴＲ−ＩＲ測定を行い、乾燥環境に馴化された角層の赤外吸収スペクトルを得た。その後、同一角層を塩化ナトリウム飽和塩溶液で調湿されたデシケータ（実測２５℃、７３％ＲＨ）に移し、一晩保管後、デシケータから取り出して速やかにＡＴＲ−ＩＲ測定を行い、湿潤環境に馴化された角層の赤外吸収スペクトルを得た。各サンプルは近傍５回の繰り返し測定を行い、繰り返し測定で得られる解析値の平均値を求めた。
【００４３】
取得した赤外吸収スペクトルは粘着テープの信号を除去後、実施例１による赤外吸収スペクトルの補正の有無において、アミドＩ吸収帯の１６４９ｃｍ−１と１６２９ｃｍ−１の信号成分の比率（α/β）を算出し、実施例１による赤外吸収スペクトルの補正の効果を検証した。
【００４４】
スペクトル補正を行わない場合では、α/β値は馴化条件間で変化している傾向が見られ（図６）、α/β値が湿度の影響を受けることが示唆された。一方、実施例１による水の信号補正を行ったスペクトルの解析では、α/β値は馴化条件間の値の差が小さくなり（図７）、本発明の方法により、湿度の影響を取り除いたアミドＩ吸収帯の評価が可能となることが分かった。
【図１ａ】
2020193948.tif 000004
【図１ｂ】
2020193948.tif 000005
【図１ｃ】
2020193948.tif 000006
【図２】
2020193948.tif 000007
【図３ａ】
2020193948.tif 000008
【図３ｂ】
2020193948.tif 000009
【図４】
2020193948.tif 000010
【図５】
2020193948.tif 000011
【図６】
2020193948.tif 000012
【図７】
2020193948.tif 000013